(57)【要約】【課題】ガス利用者宅の回線設備に左右されることなく、安定して集中監視を行うことができるようにする。【解決手段】通信アダプタ１０は、ハイパスフィルタ１１とローパスフィルタ１２，１３とによる帯域分離機能を有し、高帯域ＸＤＳＬ信号はそのまま損失なく通過させ、低帯域音声信号は、回線網制御装置２０に送り、その戻り信号を入力してＸＤＳＬ信号と混合して出力させる。通信アダプタ１０のＡＤＳＬスプリッタ４０側ローパスフィルタ１３と回線網制御装置２０との間の信号路上には、スプリッタ４０側を分離するための切り分け器１４を設ける。切り分け器１４によって、ＡＤＳＬスプリッタ４０を回線網制御装置２０から切り離すことにより、通信アダプタ１０が回線網制御装置２０の通信を妨害しないようにすることができる。【選択図】　　　　図１
2004040375.tif 000002
【特許請求の範囲】
【請求項１】
ＸＤＳＬ通信用のＸＤＳＬ信号と音声帯域信号とが混在した混在信号の入出力が可能な第１及び第２の混在信号入出力手段と、前記第１または第２の混在信号入出力手段から入力した混在信号を前記ＸＤＳＬ信号と前記音声帯域信号とに分離し、該分離したＸＤＳＬ信号と音声帯域信号とを混在させた信号を生成して他方の混在信号入出力手段に出力する分離結合手段と、前記第１または第２の混在信号出力手段から入力して該分離結合手段により分離された音声帯域信号を出力するとともに、他方の混在信号出力手段に入力して該分離結合手段で分離された音声帯域信号を入力する第１及び第２の音声帯域入出力手段とを有するＸＤＳＬ用通信アダプタにおいて、いずれか一方の前記音声帯域信号入出力手段と該一方の音声帯域入出力手段に入力する音声帯域信号が出力される側の前記混在信号入出力手段とを接続する信号路を切り離す切り離し手段を有することを特徴とするＸＤＳＬ用通信アダプタ。
【請求項２】
前記ＸＤＳＬ用通信アダプタは、前記第１及び第２の音声帯域信号入出力手段に接続される回線網制御装置におけるノーリンキング着信による通信開始と通信終了とを検出する通信監視手段を備え、該通信監視手段が通信の開始を検出したとき前記切り離し手段による音声帯域信号路の切り離しを行い、該通信監視手段によって通信終了を検出したときに前記切り離し手段により切り離した音声帯域信号路を復旧することを特徴とする請求項１に記載のＸＤＳＬ用通信アダプタ。
【請求項３】
前記ＸＤＳＬ用通信アダプタは、前記音声帯域信号路が切り離される側の混在信号入出力手段に接続される音声帯域通信機器の回線使用開始を検出する回線使用監視手段を備え、前記切り離し手段により音声帯域信号路の切り離しが行われているときに前記回線使用監視手段が前記音声帯域通信機器の使用開始を検出したときに、切り離している音声帯域信号路を復旧することを特徴とする請求項１または２に記載のＸＤＳＬ用通信アダプタ。
【請求項４】
前記通信監視手段は、ノーリンギングサービスを提供する交換局からの極性反転信号とＮＲＳ信号を検出した時点で通信開始と判断することを特徴とする請求項２または３に記載のＸＤＳＬ用通信アダプタ。
【請求項５】
前記通信監視手段は、ノーリンギングサービスを提供する交換局からの極性復旧信号を検出したとき通信終了と判断することを特徴とする請求項２ないし４のいずれか１に記載のＸＤＳＬ用通信アダプタ。
【請求項６】
前記通信監視手段は、ノーリンギングサービスを提供する交換局と前記回線網制御装置との通信信号を監視し、一定時間通信信号が検出されないときは通信終了と判断することを特徴とする請求項２ないし５のいずれか１に記載のＸＤＳＬ用通信アダプタ。
【請求項７】
前記通信監視手段は、通信開始を検出してから一定時間経過したときに通信終了と判断することを特徴とする請求項２ないし６のいずれか１に記載のＸＤＳＬ用通信アダプタ。
【発明の詳細な説明】
【０００１】
【発明の属する技術分野】
本発明は、ＸＤＳＬ通信用アダプタ、より詳細には、メータ及びセンサ等の端末を接続すると共にＡＤＳＬを代表とするＸＤＳＬ通信網を介して回線網制御装置と監視センタとの通信を音声帯域で行うためのＸＤＳＬ用通信アダプタに関するものである。
【０００２】
【従来の技術】
図６は、従来の集中監視システムに用いる回線網制御装置の接続例を説明するための図である。従来、ガスメータ等を遠隔から監視し、遠隔検針や遠隔安全監視を行ういわゆる集中監視が実施されている。このようなガスメータの集中監視においては、ガス利用者宅に回線網制御装置２０を設置し、アナログ公衆回線を通じて監視センタ７０により集中監視を行っている。その際、回線網制御装置２０は、主に屋外設置されているガスメータ等との接続を鑑みて、監視センタ７０からみて保安器３０以降であって屋内配線以前の屋外に設置されることが多い。
【０００３】
図７は、ＸＤＳＬ回線における回線網制御装置の設置例について説明するための図である。近年、既存のメタリック回線を利用して高速データ通信を実現するＸＤＳＬ（Ｘ　Ｄｉｇｉｔａｌ　Ｓｕｂｓｃｒｉｂｅｒ　Ｌｉｎｅ）通信が普及している。ＸＤＳＬは、代表的なＡＤＳＬに加えてその派生的技術であるＲＡＤＳＬ、ＨＤＳＬ、ＶＤＳＬなどを総称するものである。アナログ公衆回線において、ＸＤＳＬ通信契約、例えばＡＤＳＬ通信契約がなされている場合、図７のように回線網制御装置２０を設置すると、ＸＤＳＬ帯域信号の影響により回線網制御装置２０の通信機能に不具合が発生してしまい、ＸＤＳＬ帯域信号が回線網制御装置２０を通過することによってＸＤＳＬ通信を妨害してしまうという不具合が発生してしまう。
【０００４】
このような場合、屋内のＡＤＳＬスプリッタ４０以降の音声帯域配線に回線網制御装置２０を接続することによって、上記不具合を回避することが可能であるが、通常被監視機器であるガスメータ等は主に屋外に設置されているので、新たに回線網制御装置２０とガスメータ等との配線を宅内に引き込まなければならず工事性が悪い。そこで、本出願人は、そのような不具合を回避するために、図８に示すように、一度屋外にて音声帯域信号とＸＤＳＬ帯域信号とを分離して、分離した音声帯域信号の配線に回線網制御装置２０を接続する通信アダプタ１０を提案した。
【０００５】
図８に示す通信アダプタ１０は、１つのＨＰＦ（ハイパスフィルタ）１１と、２つのＬＰＦ（ローパスフィルタ）１２，１３によって構成される。２つのＬＰＦ１２，１３は、回線網制御装置２０の前後の信号路上に配置される。保安器３０側から入力する入力信号と、ＡＤＳＬスプリッタ４０側から入力する入力信号は、アダプタの内部でＨＰＦと一方のＬＰＦ１２，１３とに入力され、各フィルタの特性に従って所定の波長帯域の信号が出力される。すなわち、ＬＰＦ１２，１３からは音声帯域信号が出力され、ＨＰＦ１１からはＸＤＳＬ帯域信号が出力される。すなわち、ＨＰＦ１１とＬＰＦ１２，１３とこれらを接続する配線によって、混在信号を分離して再結合する分離結合手段が構成される。
【０００６】
上記のごとくの構成により、音声帯域信号とＸＤＳＬ帯域信号が混在した混在信号において、ＸＤＳＬ帯域信号は、ＨＰＦ１１の作用によって保安器２０とスプリッタ４０との間で回線網制御装置２０を経由することなく通過するため、回線網制御装置２０の動作・非動作に係わらずＸＤＳＬデータ通信を実行することができる。また、音声帯域信号は、保安器３０とスプリッタ４０との間で回線網制御装置２０を経由して通過することになる。従って、回線網制御装置２０は、公衆回線網との通信が可能となる。また回線網制御装置２０が使用されていないときには、スプリッタ４０の下流側に配された電話機６０等を使用することができる。
【０００７】
上記のような構成によると、回線網制御装置２０に接続される音声帯域信号路は、ＸＤＳＬ帯域信号路と完全に分離されているので、ＸＤＳＬ帯域信号が回線網制御装置２０の通信を妨害することはなく、且つＸＤＳＬ帯域信号は回線網制御装置２０を通過しないため、ＸＤＳＬ通信を妨害することもない。
【０００８】
【発明が解決しようとする課題】
しかし、上記のごとくの従来の技術にあっても、一部の設置現場において、ノーリンギング着信の際、音声帯域通信の一部で通信の不具合が発生し、回線網制御装置２０がノーリンギング通信を利用するときに通信不良となった。出願人の調査の結果、屋内に設置されているＡＤＳＬスプリッタ４０のうち、一部のＡＤＳＬスプリッタにおいて、周波数抵抗成分がノーリンギングの音声通信帯域に悪影響を及ぼす可能性があることを確認した。
【０００９】
従来の回線網制御装置２０においては、図６に示すように、公衆回線を高抵抗で並列接続した状態で通信を行っている。回線網制御装置２０に接続された利用者宅の電話機がオンフックされていれば電話機６０は開放状態であるので、回線網制御装置２０の通信には影響がない。このように接続しておけば、回線網制御装置２０の通信中に利用者宅の電話機６０の使用が開始されても、電話機６０のオフフックを検出して回線網制御装置２０の通信を終了することができ、交換局でも電話機６０のオフフックを検出することができる。よって回線網制御装置２０の通信中であっても利用者宅における電話機６０の使用を妨げることがない。
【００１０】
上記図８に示す構成では、図６と同様に回線網制御装置２０は公衆回線を高抵抗で並列接続した状態で通信を行っている。ＡＤＳＬスプリッタ４０には音声帯域信号を分離するためのローパスフィルタが備えられている。図９は、ＡＤＳＬスプリッタのローパスフィルタの概略図である。ＡＤＳＬスプリッタのローパスフィルタ４２は、電話機６０側が開放状態となっているので直列共振回路の構成となってしまう。よって特定の帯域の信号によっては交流抵抗成分が生じてしまい、この交流抵抗成分が信号劣化を発生させてしまう。
【００１１】
出願人の調査では、全ての市販のＡＤＳＬスプリッタに通信不良が発生するわけではなく、一部のＡＤＳＬスプリッタのローパスフィルタにおいて、ノーリンギング通信の帯域で通信機能が不良となることが確認された。なお、回線網制御装置からの発呼の場合は、交換局を呼び出すために電流ループを形成する必要があるため、通常、スプリッタ側を切り離しているので通信に影響が出ることはない。
【００１２】
本発明は上述のような実情を鑑みて、ガス利用者宅の回線設備に左右されることなく、安定して集中監視を行うことができるＸＤＳＬ用通信アダプタを提供することを目的とするものである。
【００１３】
【課題を解決するための手段】
請求項１の発明は、ＸＤＳＬ通信用のＸＤＳＬ信号と音声帯域信号とが混在した混在信号の入出力が可能な第１及び第２の混在信号入出力手段と、前記第１または第２の混在信号入出力手段から入力した混在信号を前記ＸＤＳＬ信号と前記音声帯域信号とに分離し、該分離したＸＤＳＬ信号と音声帯域信号とを混在させた信号を生成して他方の混在信号入出力手段に出力する分離結合手段と、前記第１または第２の混在信号出力手段から入力して該分離結合手段により分離された音声帯域信号を出力するとともに、他方の混在信号出力手段に入力して該分離結合手段で分離された音声帯域信号を入力する第１及び第２の音声帯域入出力手段とを有するＸＤＳＬ用通信アダプタにおいて、いずれか一方の前記音声帯域信号入出力手段と該一方の音声帯域入出力手段に入力する音声帯域信号が出力される側の前記混在信号入出力手段とを接続する信号路を切り離す切り離し手段を有することを特徴としたものである。
【００１４】
請求項２の発明は、請求項１の発明において、前記ＸＤＳＬ用通信アダプタは、前記第１及び第２の音声帯域信号入出力手段に接続される回線網制御装置におけるノーリンキング着信による通信開始と通信終了とを検出する通信監視手段を備え、該通信監視手段が通信の開始を検出したとき前記切り離し手段による音声帯域信号路の切り離しを行い、該通信監視手段によって通信終了を検出したときに前記切り離し手段により切り離した音声帯域信号路を復旧することを特徴としたものである。
【００１５】
請求項３の発明は、請求項１または２の発明において、前記ＸＤＳＬ用通信アダプタは、前記音声帯域信号路が切り離される側の混在信号入出力手段に接続される音声帯域通信機器の回線使用開始を検出する回線使用監視手段を備え、前記切り離し手段により音声帯域信号路の切り離しが行われているときに前記回線使用監視手段が前記音声帯域通信機器の使用開始を検出したときに、切り離している音声帯域信号路を復旧することを特徴としたものである。
【００１６】
請求項４の発明は、請求項２または３の発明において、前記通信監視手段は、ノーリンギングサービスを提供する交換局からの極性反転信号とＮＲＳ信号を検出した時点で通信開始と判断することを特徴としたものである。
【００１７】
請求項５の発明は、請求項２ないし４のいずれか１の発明において、前記通信監視手段は、ノーリンギングサービスを提供する交換局からの極性復旧信号を検出したとき通信終了と判断することを特徴としたものである。
【００１８】
請求項６の発明は、請求項２ないし５のいずれか１の発明において、前記通信監視手段は、ノーリンギングサービスを提供する交換局と前記回線網制御装置との通信信号を監視し、一定時間通信信号が検出されないときは通信終了と判断することを特徴としたものである。
【００１９】
請求項７の発明は、請求項２ないし６のいずれか１の発明において、前記通信監視手段は、通信開始を検出してから一定時間経過したときに通信終了と判断することを特徴としたものである。
【００２０】
【発明の実施の形態】
図１は、本発明のＸＤＳＬ用通信アダプタの基本的な機能について説明するための図である。上述したごとくの、ＸＤＳＬスプリッタのローパスフィルタにおけるノーリンギング通信の不良の発生を解消するために、切り分け器によって、ノーリンギング通信中に限りスプリッタ側の音声帯域信号路を切り離し、ＸＤＳＬスプリッタの交流抵抗成分の影響を解消する。以下、ＸＤＳＬの代表的方式であるＡＤＳＬを用いたシステム構成を本発明の実施形態として説明するが、以下の実施形態の思想はＸＤＳＬ全般に適用できる。
【００２１】
本実施形態は、図１に示すように、通信アダプタ１０のＡＤＳＬスプリッタ４０側ローパスフィルタ１３と回線網制御装置２０との間の音声帯域信号路上に、スプリッタ４０側を切り離すための切り離し手段として機能する切り分け器１４を設ける。切り分け器１４によって、ＡＤＳＬスプリッタ４０を回線網制御装置２０から切り離すことにより、ＡＤＳＬスプリッタ４０が回線網制御装置２０の通信を妨害しないようにする。
【００２２】
図２は、図１に示したＡＤＳＬ用通信アダプタ１０が有する切り分け器１４の機能を更に詳しく説明するための図である。ここでは、ＡＤＳＬ用通信アダプタ１０のＨＰＦ４１に、ＡＤＳＬモデム５０が接続され、ＬＰＦ４２には電話機６０が接続されている。切り分け器１４は、スプリッタ側監視部１４ａと、極反／極復監視部１４ｂと、モデム１４ｃと、ＣＰＵ１４ｅと、切替スイッチ１４ｄと、電源１４ｆとを有する。極反／極復監視部１４ｂは、通信アダプタ１０の保安器側ローパスフィルタ１２と回線網制御装置２０との間の音声帯域信号路において、回線の極性反転及び極性復帰（ノーリンギング極性反転を含む）を検出する。またモデム１４ｃは、同じく保安器側ローパスフィルタ１２と回線網制御装置２０との間の音声帯域信号路における通信キャリアを検出する。
【００２３】
スプリッタ側監視部１４ａは、通信アダプタ１０のスプリッタ側ローパスフィルタ１３のオンフックを検出する。また切替スイッチ１４ｄは、回線網制御装置２０と通信アダプタのスプリッタ側ローパスフィルタ１３との間の音声帯域信号路に接続され、スプリッタ側ローパスフィルタ１３の接続を回線網制御装置２０またはスプリッタ側監視部１４ａのいずれかに切替える。ＣＰＵ１４ｅは、スプリッタ側監視部１４ａ，極反／極復監視部１４ｂ，及び切替スイッチ１４ｄに接続し、極反／極復監視部１４ｂ及びスプリッタ側監視部１４ａの検出結果に基き切替スイッチ１４ｄを動作させて切替える。そして電源１４ｆは、上記各要素を駆動するための電力を供給する。
【００２４】
尚、本実施形態では、通信アダプタ１０が切り分け器１４を内蔵するように構成したが、切り分け器１４は、回線網制御装置２０からＡＤＳＬスプリッタ４０を切り離すことが可能であれば何処に設置しても良く、例えば、回線網制御装置２０と通信アダプタ１０の間に設置してもよいし、また通信アダプタ１０とＡＤＳＬスプリッタ４０の間に設置してもよい。ただし、通信アダプタ１０のスプリッタ側に切り分け器１４を設けるときは、通信アダプタ１０のスプリッタ側ローパスフィルタ１３が回線網制御装置２０の通信に影響を及ぼさないものでなればならない。
【００２５】
図３及び図４のフローチャートを用いて上記通信アダプタの具体的な動作を説明する。図３は、本発明の通信アダプタの一実施形態における切り分け処理について説明するためのフローチャートである。いわゆるノーリング通信による呼び出しにおいては、緩やかな極性反転（ベルが鳴らない）の後、ＮＲＳ信号と呼ばれる選択信号（０〜９）が通知される。回線網制御装置２０は、極性反転を検出した後、ＮＲＳ信号の受信を待ち、ＮＲＳ信号が自己の番号と一致した場合に応答する。
【００２６】
すなわち図３のフローチャートにおいて、極反／極復監視部１４ｂにより極性反転の検出を開始し（ステップＳ１）、極性反転を検出した場合（ステップＳ２）、モデム１４ｃによりＮＲＳ信号の検出を開始する（ステップＳ３）。モデム１４ｃでＮＲＳ信号の正常値（０〜９）を受信した場合（ステップＳ４）、ノーリンギング通信の開始と判定して、切替スイッチ１４ｄによってスプリッタ側の音声帯域信号路の切り離しを行う（ステップＳ５）。また上記ステップＳ２で極反／極復監視部１４ｂが極性反転を検出したがＮＲＳ信号を検出しない場合は、ＣＰＵ１４ｅは通常のリンギング着信と判断し、切り離し処理は実行しない。またＮＲＳ信号のみが入力する場合は、宅内電話機の操作等によるもので切り分け器は動作しない。
【００２７】
なお、ＮＲＳ信号については、例えば回線網制御装置２０の固有の番号等、特定の値のみを検出するようにしてもよい。例えば、ＡＤＳＬスプリッタ４０の下部側（通信アダプタの反対側）に、仮にノーリンギング通信を利用する他の宅内通信機器が存在した場合、切り分け器１４がすべてのＮＲＳ信号に反応してしまうと、宅内通信機器はノーリンギング着信ができなくなってしまう。従って、切り分け器１４におけるＮＲＳ信号の検出は、宅内通信機器用のＮＲＳ信号に反応しないように、回線網制御装置２０に対するＮＲＳ信号であることを判別できる特定値のみを検出するようにすればよい。
【００２８】
但し、ノーリンギング通信を利用する通信機器が宅内に設置されていることは非常に希であるので、切り分け器１４の初期設定はすべてのＮＲＳ信号に反応するようにして工事を簡易化し、ノーリンギング通信を利用する通信機器が宅内に設置されている場合に限って、切り分け器１４が検出するＮＲＳ信号を特定するようにしてもよい。
【００２９】
以上のように、極性反転に続くＮＲＳ信号を受信したときに（ステップＳ１〜Ｓ４）、ノーリンギング通信による呼び出しであると判断して、切替スイッチ１４ｄを作動させ、回線網制御装置２０のスプリッタ側の音声帯域信号路を切り離し（ステップＳ５）、スプリッタ側監視部１４ａをスプリッタ側の信号路に接続させる。これにより、ＡＤＳＬスプリッタ４０が備えるローパスフィルタ４２が回線網制御装置２０と切り離されるので、通信を開始してもＡＤＳＬスプリッタのローパスフィルタ４２が回線網制御装置２０に影響することはない。
【００３０】
図３において、回線網制御装置２０のスプリッタ側の音声帯域信号路を切り離した後は、復旧検出処理を開始し（ステップＳ６）、その処理動作に従ってスプリッタ側の信号路を復旧する（ステップＳ７）。すなわち、回線網制御装置２０の音声帯域信号路がＡＤＳＬスプリッタ４０側の信号路に接続するように切替スイッチ１４ｄを切替える。
【００３１】
図４は、スプリッタ側信号路の切り離し後の復旧検出処理について説明するためのフローチャートである。復旧検出処理においては、ＡＤＳＬスプリッタ４０の下部側（通信アダプタの反対側）に接続された電話機等の使用が検出されたとき、回線を復旧させて電話機等を使用できるようにするためのスプリッタ側回線使用監視処理と、回線網制御装置２０の通信が終了した場合、速やかにスプリッタ側の回線を復旧させる通信終了検出処理が実施される。
【００３２】
回線網制御装置２０の通信中は、スプリッタ側に接続された電話機等が着信できない状態にあるので、速やかにスプリッタ側の回線を復旧させる必要がある。本発明では安全信頼性の観点から３種の通信終了検出処理を行っている。第一には極復検出であり、回線網制御装置２０の通信が終了すれば極復されるので、その極復を検出してスプリッタ側を復旧させる。第二にはキャリア検出であり、通常の通信は５秒から２０秒で行われているので、一定時間キャリアが検出されない場合は、通信が終了しているとみなして、スプリッタ部側を復旧させる。
【００３３】
第三には通信時間の総時間経過を監視する。通常ノーリギング着信による通話時間は３分〜１０分の間であって、それ以上行われることは通常は有り得ない。よって回線網制御装置２０の通信開始から所定時間が経過した時点で通信が終了しているとみなしてスプリッタ側を復旧させる。
【００３４】
以下フローに従い復旧検出処理を具体的に説明する。切替スイッチ１４ｄにより回線網制御装置２０のスプリッタ側の信号路を切り離した後は、図４に示すごとくの復旧検出処理をスタートさせる。復旧検出処理がスタートすると、通信時間監視タイマーのスタート（ステップＳ１１）、極性復旧検出処理の開始（ステップＳ１３）、スプリッタ側回線使用検出処理の開始（ステップＳ１５）、及び通信信号（キャリア）停止検出処理の開始（ステップＳ１７）が平行して行われる。通信時間監視タイマーのタイムアップ（ステップＳ１２）、極復の検出（ステップＳ１４）、スプリッタ側回線の使用検出（ステップＳ１６）、及び通信信号の停止検出処理におけるタイムアップ（ステップＳ２１）のいずれかが実行されると、上記４つの平行処理を停止させ、スプリッタ側の信号路の復旧を行うべく、図３に示すスプリッタ側復旧処理を行う（ステップＳ７）。
【００３５】
上記の通信信号（キャリア）の停止検出処理においては、処理の開始後、回線網制御装置２０の通信の有無、すなわちキャリア検出によって通信の有無を判断し（ステップＳ１８）、キャリアが検出されずに通信されていないことが判断されればタイマーをスタートさせる（ステップＳ１９）。タイマースタート後は、通信の有無を監視し（ステップＳ２０）、タイムアップするまで通信がなければ（ステップＳ２１）、復旧処理を行うようにする。また、タイマーのスタート後、タイムアップする前に通信がなされれば、タイマーをリセットし（ステップＳ２２）、ステップＳ１８に戻って通信の有無の監視を行う。
【００３６】
なお、スプリッタ側回線使用検出処理において、電話機等のオフフックにより、切替スイッチ１４ｄを復旧した場合は、直流ループの形成により交換局においてノーリンギング通信が中断される。また回線網制御装置２０は前述のようにスプリッタ側を監視しているので、その通信を終了する。
【００３７】
次に本発明の第２の実施形態について説明する。上記第１の実施形態では、回線網制御装置２０のスプリッタ側の信号路を、ＡＤＳＬスプリッタ４０から完全に切り離していたが、本実施形態では、ＮＲ通信に影響を及ぼすＡＤＳＬスプリッタ４０の共振周波数をずらすことにより、回線網制御装置２０に対するＡＤＳＬスプリッタ４０の影響をなくすことを目的としている。
【００３８】
図５は、本発明の第２の実施形態を説明するための図で、本実施形態の通信アダプタを用いたシステム構成例を図５（Ａ）に、図５（Ａ）の切替スイッチ部の構成を図５（Ｂ）に示すものである。上述したごとくの切り分け器１４において、切替スイッチ部１４ｇに並列共振回路１４ｈを挿入することにより、ＡＤＳＬスプリッタ４０の共振周波数を回線網制御装置２０に影響しない領域にずらすことができる。本実施形態では、並列共振回路１４ｈの作用によって、ＮＲ通信に使用していない周波数にＡＤＳＬスプリッタ共振周波数をずらすようにした。
【００３９】
上記のような構成により、ＮＲ着信以外では、並列共振回路１４ｈは作用しないので、他の電話やＦＡＸ等の通信機器に影響を及ぼすことがなく、またＮＲ着信の際にはＡＤＳＬスプリッタ４０の共振周波数が回線網制御装置２０に影響しない周波数に変更される。そして、交換局と利用者宅の電話機等は電気的に接続されているので、スプリッタ側のオンフックを検出するために、通信アダプタ１０からスプリッタ側に電流を流す必要性がなくなる。
【００４０】
【発明の効果】
以上の説明から明らかなように、本発明によれば、音声帯域信号路において、回線網制御装置からＸＤＳＬ用スプリッタを切り離すことができ、ＸＤＳＬ用スプリッタが回線網制御装置の通信を妨害することがない。すなわち本発明の構成により、ガス利用者宅の回線設備に左右されることなく、安定して集中監視を行うことができる。また、利用者宅にて回線を使用する場合、回線網制御装置の通信終了の後は速やかに回線が復旧するので、必要以上に利用者宅の回線を占有することがない。さらに、複数の制御によって通信の終了を監視しているので確実に回線を復旧させることができる。
【図面の簡単な説明】
【図１】本発明のＸＤＳＬ用通信アダプタの基本的な機能について説明するための図である。
【図２】図１に示したＡＤＳＬ用通信アダプタが有する切り分け器の機能を更に詳しく説明するための図である。
【図３】本発明の通信アダプタの一実施形態における切り分け処理について説明するためのフローチャートである。
【図４】スプリッタ側信号路の切り離し後の復旧検出処理について説明するためのフローチャートである。
【図５】本発明の第２の実施形態を説明するための図である。
【図６】従来の集中監視システムに用いる回線網制御装置の接続例を説明するための図である。
【図７】ＸＤＳＬ回線における回線網制御装置の設置例について説明するための図である。
【図８】屋外にて音声帯域信号とＸＤＳＬ帯域信号とを分離し、その音声帯域信号の配線に回線網制御装置を接続するようにした通信アダプタを説明するための図である。
【図９】ＡＤＳＬスプリッタのローパスフィルタの概略図である。
【符号の説明】
１０…ＸＤＳＬ用通信アダプタ、１１…ＨＰＦ（ハイパスフィルタ）、１２，１３…ＬＰＦ（ローパスフィルタ）、１４…切り分け器、１４ａ…スプリッタ側監視部、１４ｂ…極反／極復監視部、１４ｃ…モデム、１４ｄ…切替スイッチ、１４ｅ…ＣＰＵ、１４ｆ…電源、１４ｇ…切替スイッチ部、１４ｈ…並列共振回路、２０…回線網制御装置、３０…保安器、４０…ＡＤＳＬスプリッタ、４１…ＨＰＦ、４２…ＬＰＦ、５０…ＡＤＳＬモデム、６０…電話機、７０…監視センタ。
【図１】
2004040375.tif 000003
【図２】
2004040375.tif 000004
【図３】
2004040375.tif 000005
【図４】
2004040375.tif 000006
【図５】
2004040375.tif 000007
【図６】
2004040375.tif 000008
【図７】
2004040375.tif 000009
【図８】
2004040375.tif 000010
【図９】
2004040375.tif 000011